(57)【要約】【課題】  配線器具の取り付けを容易とし、また、配線器具が取り付けられる石膏ボードの強度を高める。【解決手段】  枠体（６）の表裏に石膏ボード（３）が配設された内壁パネルにおいて、配線器具の取り付け部分に当たる位置に補強板（１）が内壁パネルの横方向の一面に配設され、補強板は、配線器具を取り付けるための穴加工する部分（２）を除いた部分で石膏ボードの裏面に接着されている。【選択図】図１
2006002446.tif 000002
【特許請求の範囲】
【請求項１】
枠体の表裏に石膏ボードが配設された内壁パネルにおいて、配線器具の取り付け部分に当たる位置に補強板が内壁パネルの横方向の一面に配設され、この補強板は、配線器具を取り付けるための穴加工する部分を除いた部分で石膏ボードの裏面に接着されていることを特徴とする内壁パネル。
【請求項２】
枠体に設けられた左右両側端を除く竪芯材に段部が形成され、補強板はその段部に係合し、補強板の表面が竪芯材の表面と略面一になっている請求項１記載の内壁パネル。
【発明の詳細な説明】
【技術分野】
【０００１】
この出願の発明は、内壁パネルに関するものである。さらに詳しくは、この出願の発明は、配線器具の取り付けを容易とし、また、配線器具が取り付けられる石膏ボードの強度を高めることのできる内壁パネルに関するものである。
【背景技術】
【０００２】
戸建て住宅や集合住宅では、間仕切壁として、枠体の表裏に石膏ボードが配設された内壁パネルが用いられることが多い。内壁パネルには、コンセント、スイッチ等の配線器具が配設され、配線器具は、一般に現場において後付けされる（たとえば、特許文献１参照）。配線器具の取り付けを容易とするために、配線ボックスを石膏ボードに挟みつけるようにする工夫が行われてもいる（たとえば、特許文献２参照）。
【特許文献１】特開平１０−７７７０９号公報
【特許文献２】特開２００４−１１２９３２号公報
【発明の開示】
【発明が解決しようとする課題】
【０００３】
以上の他、配線器具の現場施工に際しては、たとえば、配線器具の取り付けられる内壁パネルの片側の石膏ボードを外しておき、配線ボックスを内壁パネルの内部に取り付けた後、石膏ボードを配設するという施工方法が採用されている。だが、この場合、現場での作業に手間がかかり、内壁パネルの特長の一つである工期短縮、廃材の削減等の長所が損なわれるという問題がある。
【０００４】
そこで、内壁パネルの割付けを決め、配線器具の取り付け位置をあらかじめ定めて、配線ボックスを内蔵した内壁パネルを工場生産することが考えられるが、この場合には、品種管理の手間、配線ボックスの取り付け位置の間違い等の問題が指摘される。
【０００５】
また、はさみ金具を用いて配線器具を石膏ボードに固定する場合、たとえば、抜け止め機能つきのコンセントでは、コンセントにつなげられた電気コードに過大な力が加わった時、コンセント全体に過大な力が加わることになるため、石膏ボードが薄い場合、はさみ金具の部分において石膏ボードにひび割れ等の発生が懸念される。最近では、厚さ9.5mmの薄い石膏ボードが一般的に用いられるようになっているため、ひび割れ等の発生の可能性は高いと考えられる。
【０００６】
この出願の発明は、このような事情に鑑みてなされたものであり、配線器具の取り付けを容易とし、また、配線器具が取り付けられる石膏ボードの強度を高めることのできる内壁パネルを提供することを解決すべき課題としている。
【課題を解決するための手段】
【０００７】
この出願の発明は、上記の課題を解決するものとして、第１には、枠体の表裏に石膏ボードが配設された内壁パネルにおいて、配線器具の取り付け部分に当たる位置に補強板が内壁パネルの横方向の一面に配設され、この補強板は、配線器具を取り付けるための穴加工する部分を除いた部分で石膏ボードの裏面に接着されていることを特徴とする内壁パネルを提供する。
【０００８】
この出願の発明は、第２には、上記第１の内壁パネルにおいて、枠体に設けられた左右両側端を除く竪芯材に段部が形成され、補強板はその段部に係合し、補強板の表面が竪芯材の表面と略面一になっている内壁パネルを提供する。
【発明の効果】
【０００９】
この出願の発明の第１の内壁パネルによれば、配線器具の取り付けが容易となり、また、配線器具が取り付けられる石膏ボードの強度を高めることができ、ひび割れ等の発生を解消することができる。
【００１０】
この出願の発明の第２の内壁パネルによれば、上記第１の内壁パネルの効果に加え、補強板が穴加工時に移動することがなく、補強板を固定する接着剤の塗布部分を少なくすることができる。
【発明を実施するための最良の形態】
【００１１】
以下、図面に沿ってこの出願の発明の内壁パネルについてさらに詳しく説明する。
【００１２】
図１は、この出願の発明の内壁パネルの一実施形態を示した一部切欠斜視図である。
【００１３】
図１に示したように、この出願の発明の内壁パネルでは、配線器具の取り付け部分に当たる位置に補強板（１）が内壁パネルの横方向の一面に配設される。この補強板（１）は、配線器具を取り付けるための穴加工する部分（２）を除いた部分で石膏ボード（３）の裏面に接着剤（４）により接着されている。図１に示した実施形態では、表裏の石膏ボード（３）に補強板（１）が配設されているが、片側のみの配設も可能である。配線器具を取り付ける位置に応じて補強板（１）は配設される。
【００１４】
このようなこの出願の発明の内壁パネルでは、配線器具を施工する際には、カッター等の工具を用いて石膏ボード（３）とともに補強板（１）を所定寸法に切り抜き、形成された開口において配線器具を取り付ける。たとえば、はさみ金具を、開口を通じて内壁パネルの内部に挿入し、外側の配線器具とネジを用い、石膏ボード（３）と補強板（１）を一体にはさみ込み、固定する。
【００１５】
このように、この出願の発明の内壁パネルは、配線器具を現場において後付けするものであるが、片側の石膏ボード（３）をあらかじめ外しておき、配線ボックスを取り付けた後に石膏ボード（３）を配設するという手間が必要なく、配線器具を取り付ける位置においてカッター等の工具で補強板（１）ごと切り抜き、配線器具を取り付けることができる。配線器具の取り付け作業は容易となり、内壁パネルの長所である工期短縮、廃材の削減等を生かすことができる。
【００１６】
また、内壁パネルを生産する工場では、補強板（１）の配設位置のみを管理すればよく、品種管理、配線器具の取り付け位置の間違い等の問題は生じない。図１に示した実施形態では、補強板（１）は、内壁パネルの下部に位置しているが、この出願の発明の内壁パネルでは、補強板（１）の位置が下部に限られることはなく、配線器具の取り付けが必要な位置に内壁パネルの横方向の一面に配設することができる。
【００１７】
しかも、石膏ボード（３）は、補強板（１）の配設により強度が高められ、最近一般的となっている厚さ9.5mmという薄い石膏ボード（３）であっても、配線器具全体に過大な力が加わることによるひび割れ等の問題も生じない。
【００１８】
なお、図１に示した実施形態では、接着剤（４）は、穴加工する部分（２）を除いた四周に設けられている。接着剤（４）が設けられる部分は、この他に、図２＜ａ＞に示した上下両辺部や図２＜ｂ＞に示した左右両辺部とすることができ、また、図２＜ｃ＞に示したように四周に点状に設けることもできる。接着剤（４）を補強板（１）の表面全面に塗布すると、穴加工時に硬化した接着剤によってカッター等の工具による切り抜きがしにくくなるため、このように部分的に設ける。図２＜ａ＞＜ｂ＞＜ｃ＞に図中に示した符号５は、配線器具が設けられる時に形成される開口である。開口（５）は、配線器具を取り付けるための穴加工する部分（２）において形成される。
【００１９】
以上の補強板（１）の材質としては、そのような開口（５）がカッター等の簡易な工具により容易に形成される石膏ボード、紙、ゴム等が例示される。
【００２０】
また、この出願の発明の内壁パネルでは、図１に示したように、枠体（６）に設けられた左右両側端を除く竪芯材（７）に段部（８）を形成し、この段部（８）に補強板（１）を係合させ、補強板（１）の表面を竪芯材（７）の表面と略面一にすることができる。この場合には、穴加工時に補強板（１）の移動がなく、したがって、接着剤（４）の塗布部分を少なくすることができる。
【００２１】
このような内壁パネルは、図３に示した工程に沿って作製可能である。
【００２２】
すなわち、左右両側端を除く竪芯材（７）に段部（８）が形成された枠体（６）を作製する。段部（８）の位置は、配線器具の取り付け位置に対応させる。石膏ボード（３）の裏面の所定位置に補強板（１）を作製する内壁パネルの横方向の一面に取り付ける。この際には、補強板（１）は、配線器具を取り付けるための穴加工する部分（２）を除いた部分で石膏ボード（３）の裏面に接着剤（４）を用いて接着する。そして、補強板（１）が一体となった石膏ボード（３）を枠体（６）の表裏に接着剤により貼り付ける。この時、補強板（１）は、枠体（６）の左右両側端を除く竪芯材（７）に係合する。こうして、この出願の発明の内壁パネルが作製される。以上の内壁パネルの作製は工場において行われる。
【００２３】
なお、内壁パネルの内部への電線の挿入は、たとえば、図１に示したように、枠体（６）の上部の横架材（９）に孔（１０）を形成し、この孔（１０）を通じて行うことができる。
【００２４】
もちろん、この出願の発明は、以上の実施形態によって限定されるものではない。枠体の構成および構造、配線器具の種類、構造等の細部については様々な態様が可能であることはいうまでもない。
【図面の簡単な説明】
【００２５】
【図１】この出願の発明の内壁パネルの一実施形態を示した一部切欠斜視図である。
【図２】＜ａ＞＜ｂ＞＜ｃ＞は、それぞれ、補強板に設けられる接着剤の位置を例示した斜視図である。
【図３】この出願の発明の内壁パネルの一実施形態を作製する工程図である。
【符号の説明】
【００２６】
１    補強板
２    穴加工する部分
３    石膏ボード
４    接着剤
５    開口
６    枠体
７    竪芯材
８    段部
９    横架材
１０    孔
【図１】
2006002446.tif 000003
【図２】
2006002446.tif 000004
【図３】
2006002446.tif 000005